(57)【要約】【課題】  呼び出しが行われたナースコール子機に対応する廊下灯に設けた表示灯を適切な明るさとすることを目的とする。【解決手段】  ナースコール子機１により呼び出しが行われた場合に、ＩＣタグリーダー８がＩＣタグ１１を検知したときには、医療従事者近接判定部９は、医療従事者が廊下灯５に接近していると判断する。そして、廊下灯用制御部７は、表示灯１０を暗めに発光させるので、近くに居る医療従事者や患者は眩しさを感じない。また、表示灯１１の発光が暗くても廊下灯５までの距離が近いので、呼び出しを容易に認識することができる。一方、ＩＣタグリーダー８がＩＣタグ１１を検知しないときには、廊下灯用制御部７は、表示灯１０を明るく発光させるので、近くに居る患者は眩しさを感じるものの、廊下灯５までの距離が遠くても呼び出しを確実に認識することができる。【選択図】        図１
2008206922.tif 000002
【特許請求の範囲】
【請求項１】
病床の近傍に設置され、患者による呼び出し操作により呼び出しを行うナースコール子機と、前記病床が存在する病室の出入口近傍に設置され、前記ナースコール子機による呼び出しを発光にて報知する廊下灯とを備えるナースコールシステムであって、
患者による操作によって医療従事者を呼び出すための子機用呼び出し操作部と、前記子機用呼び出し操作部が操作された場合に呼び出し信号を生成する子機用制御部と、前記子機用制御部にて生成された呼び出し信号を前記廊下灯に出力する子機用インターフェースとを備えたナースコール子機と、
医療従事者により携帯され、前記医療従事者の位置を特定する医療従事者位置特定装置と、
前記ナースコール子機から出力された前記呼び出し信号を入力する廊下灯用インターフェースと、前記医療従事者位置特定装置により特定された前記医療従事者の位置が前記廊下灯に近接しているか否かを判断する医療従事者近接判定部と、前記廊下灯用インターフェースが前記呼び出し信号を入力した場合に発光する表示灯と、前記医療従事者近接判定部により前記医療従事者が前記廊下灯に近接していないと判断したときよりも前記医療従事者が前記廊下灯に近接していると判断したときに前記表示灯の照度を上げる廊下灯用制御部とを備えた廊下灯と、
を有するナースコールシステム。
【請求項２】
前記医療従事者位置特定装置は、ＩＣタグにより構成されており、前記廊下灯は、前記ＩＣタグの近接を認識するＩＣタグリーダーを備えたことを特徴とする請求項１に記載のナースコールシステム。
【発明の詳細な説明】
【技術分野】
【０００１】
本発明は、病院などで患者からの要求に応じて医療従事者を呼び出すナースコールシステムに関する。
【背景技術】
【０００２】
病院や福祉施設などの施設に設置されるナースコールシステムは、ナースセンタに設置されるナースコール親機と、病室側に設置され、ナースコール親機と接続された廊下灯と、各患者のベッド毎に病室内の壁面に設置され、廊下灯と接続された壁埋込形子機とを備えている。
【０００３】
壁埋込形子機は、医療従事者を呼び出すための呼出ボタン、マイク、スピーカを備えることで、ナースコール親機側と連絡を取り合うことができるが、表面に露出して設けられたコンセントにナースコール子機を取り付けることで、コンセントに取り付けたナースコール子機によってもナースコール親機側と連絡を取り合うことができる。
【０００４】
このようなナースコール子機としては、握り押しボタンやハンド形子機等がある。ここで、握り押しボタンは、呼び出しボタンを備えており、単に呼び出し専用で通話機能は持たない。また、ハンド形子機は、呼び出しボタンに加えてマイクおよびスピーカを内蔵しており、呼び出し機能とともに通話機能を持っている。
【０００５】
ところで、ナースコールシステムにおいて、ナースコール子機からの呼び出しに応じて廊下灯に設けた表示灯を点灯または点滅（以下、発光と記載する）させ、これによってナースコール子機による呼び出しを報知する技術が知られている（例えば、特許文献１など）。具体的には、ナースコール子機により呼び出しが行われると、呼び出しを行ったナースコール子機を設置した病室の出入口近傍の廊下側壁面などに設けた廊下灯は、廊下側に向かって発光する表示灯を発光させて、ナースコール子機による呼び出しを報知する。
【特許文献１】特開２００６−７４１４０号公報
【０００６】
しかしながら、特許文献１に記載のナースコールシステムでは、廊下灯に設けた表示灯の発光を明るくし過ぎると、すぐ近くに居る医療従事者や患者などが眩しく感じてしまうという問題があった。その一方で、廊下灯に設けた表示灯の発光の明るさを抑え過ぎると、医療従事者が廊下灯から離れていた場合に、呼び出しを認識することができなくなってしまうという問題があった。
【発明の開示】
【発明が解決しようとする課題】
【０００７】
本発明は、このような問題を解決するために成されたものであり、呼び出しが行われたナースコール子機に対応する廊下灯に設けた表示灯を適切な明るさとすることを目的とする。
【課題を解決するための手段】
【０００８】
上述した課題を解決するために、本発明では、呼び出しが行われたナースコール子機に対応する廊下灯の位置を特定するとともに、医療従事者によって携帯されるＩＣタグにより医療従事者の位置を特定し、この廊下灯の位置と医療従事者の位置とが所定の距離未満である場合には、廊下灯に設けた表示灯の照度を下げ、廊下灯の位置と医療従事者の位置とが所定の距離以上である場合には、表示灯の照度を上げるようにしている。
【発明の効果】
【０００９】
上記のように構成した本発明によれば、呼び出しが行われたナースコール子機に対応する廊下灯の近くに医療従事者が存在する場合には、表示灯の照度が下がって暗くなるので、近くに居る医療従事者や患者は眩しさを感じない。また、表示灯が暗くても廊下灯までの距離が近いので、医療従事者は呼び出しを容易に認識することができる。また、呼び出しが行われたナースコール子機に対応する廊下灯から離れた場所に医療従事者が存在する場合には、表示灯の照度が上がって明るくなるので、近くに居る患者は眩しさを感じるものの、廊下灯までの距離が遠くても医療従事者は呼び出しを確実に認識することができる。従って、表示灯を適切な明るさとすることができる。
【発明を実施するための最良の形態】
【００１０】
以下、本発明の一実施形態を図面に基づいて説明する。図１は、本実施形態によるナースコールシステムの構成例を示すブロック図である。また、図２は、本実施形態によるナースコールシステムに適用される廊下灯５およびＩＣタグ１１の動作例を示す図である。図１に示すように、本実施形態によるナースコールシステムは、ナースコール子機１、廊下灯５、ＩＣタグ（特許請求の範囲の医療従事者位置特定装置に該当する）１１、ナースコール親機（図示せず）を備えて構成されている。
【００１１】
また、ナースコール子機１は、子機用制御部２、呼び出し操作部３、子機用インターフェース４を備えて構成されている。また、廊下灯５は、廊下灯用インターフェース６、廊下灯用制御部７、ＩＣタグリーダー８、医療従事者近接判定部９、表示灯１０を備えて構成されている。
【００１２】
ナースコール子機１は、病室内の患者の近辺（例えば、ベッド近傍など）に設置されており、伝送線を介して廊下灯５に接続されている。廊下灯５は、ナースコール親機に接続されている。また、廊下灯５は、病室毎に設けられており、各部屋の出入口近傍の外側の壁面などに取り付けられている。ここで、廊下灯５には、病室内の複数のナースコール子機１が識別可能に接続されている。
【００１３】
ＩＣタグ１１は、医療従事者により携帯され、後述するＩＣタグリーダー８によって読み取られることにより医療従事者の位置検知が行われる。ここで、ＩＣタグ１１がＩＣタグリーダー８によって読み取られる距離は、２〜３ｍ程度であることが好ましい。そのため、ＩＣタグ１１としては、アクティブタイプのＩＣタグや、無線ＬＡＮタグなどが適している。なお、医療従事者の位置検知は、これらの手法に限定されることはない。
【００１４】
ナースコール親機は、医療従事者が在室するナースステーションなどに設置されている。ここで、ナースコール親機には、複数の廊下灯５および廊下灯５に接続された複数のナースコール子機１が識別可能に接続されている。
【００１５】
また、廊下灯５とナースコール親機との間に制御機などを設けるようにしても良い。また、制御機は、各ナースコール子機１から入力した各種の信号を識別すると共に、それらの信号がどの患者からのものであるか（どのベッドからのものであるか）を特定してナースコール親機に送信する。
【００１６】
ナースコール子機１の子機用制御部２は、ナースコール子機１の各構成要素を後述するように制御する。呼び出し操作部３は、患者により医療従事者を呼び出すための操作を行うもので、ボタンなどにより構成されている。子機用制御部２は、呼び出し操作部３が操作されると、呼び出し信号を生成する。
【００１７】
子機用インターフェース４は、子機用制御部２にて生成された呼び出し信号を廊下灯５に出力する。また、子機用インターフェース４は、ナースコール親機との間で通話時の音声信号の入出力を、廊下灯５を介して行う。具体的には、子機用インターフェース４は、子機用制御部２により生成された呼び出し信号の出力後にナースコール親機により通話路が形成されると、患者からの音声信号をナースコール親機に出力するとともに、医療従事者からの音声信号をナースコール親機から入力する。ここで、ナースコール子機１には、図示しないマイクおよび図示しないスピーカが設けられている。
【００１８】
廊下灯５の廊下灯用インターフェース６は、ナースコール子機１から呼び出し信号を入力するとともに、患者と医療従事者との通話時の音声信号を入出力する。廊下灯用制御部７は、廊下灯５の各構成要素を後述するように制御する。ここで、廊下灯用制御部７は、廊下灯用インターフェース６から呼び出し信号を入力するとともに、ナースコール親機に呼び出し信号を出力する。
【００１９】
ＩＣタグリーダー８は、ＩＣタグ１１の接近を検知することで、検知信号を医療従事者近接判定部９に出力する。医療従事者近接判定部９は、医療従事者が廊下灯５に接近しているか否かを判定するものであり、ＩＣタグリーダー８から検知信号を入力した場合には、ＩＣタグ１１を携帯した医療従事者が廊下灯５に接近したと判断する。一方、ＩＣタグリーダー８から検知信号を入力しない場合には、ＩＣタグ１１を携帯した医療従事者が廊下灯５から離れていると判断する。また、医療従事者近接判定部９は、医療従事者が廊下灯５に接近しているか否かの判定結果を廊下灯用制御部７に出力する。
【００２０】
表示灯１０は、患者からの呼び出しを報知するものであり、廊下灯５の表面に設けられている。表示灯１０は、患者からの呼び出し時に、換言すると、廊下灯用制御部７が呼び出し信号を入力した場合に、発光などの状態変化により呼び出しを報知する。ここで、表示灯１０は、廊下灯用制御部７によって発光時の明るさを制御される。
【００２１】
例えば、図２（ａ）に示すように、ＩＣタグ１１を携帯する医療従事者が廊下灯５から遠い場所に居る場合に、患者が呼び出し操作部３を操作すると、子機用制御部２は、呼び出し信号を生成する。子機用制御部２により生成された呼び出し信号は、子機用インターフェース４によって廊下灯５に出力される。
【００２２】
廊下灯５の廊下灯用制御部７は、廊下灯用インターフェース６を介して呼び出し信号を入力する。一方、医療従事者近接判定部９は、ＩＣタグリーダー８がＩＣタグ１１の接近を検知して出力する検知信号の入力の有無によって、医療従事者が廊下灯５に接近しているか否かを判定し、その結果を廊下灯用制御部７に出力する。
【００２３】
廊下灯用制御部７は、医療従事者が廊下灯５に接近しているか否かの判定結果を医療従事者近接判定部９から入力する。ここで、医療従事者が廊下灯５から遠い場所に居るため、ＩＣタグリーダー８は、ＩＣタグ１１の接近を検知せず、検知信号を出力しない。これにより、医療従事者近接判定部９は、医療従事者が廊下灯５から離れているという判定結果を廊下灯用制御部７に出力する。廊下灯用制御部７は、表示灯１０を明るく発光させる。
【００２４】
また、図２（ｂ）に示すように、ＩＣタグ１１を携帯する医療従事者が廊下灯５から近い場所に居る場合に、患者が呼び出し操作部３を操作すると、子機用制御部２は、呼び出し信号を生成する。子機用制御部２により生成された呼び出し信号は、子機用インターフェース４によって廊下灯５に出力される。
【００２５】
廊下灯５の廊下灯用制御部７は、廊下灯用インターフェース６を介して呼び出し信号を入力する。一方、医療従事者近接判定部９は、ＩＣタグリーダー８がＩＣタグ１１の接近を検知して出力する検知信号の入力の有無によって、医療従事者が廊下灯５に接近しているか否かを判定し、その結果を廊下灯用制御部７に出力する。
【００２６】
廊下灯用制御部７は、医療従事者が廊下灯５に接近しているか否かの判定結果を医療従事者近接判定部９から入力する。ここで、医療従事者が廊下灯５から近い位置に居るため、ＩＣタグリーダー８は、ＩＣタグ１１の接近を検知し、検知信号を出力する。これにより、医療従事者近接判定部９は、医療従事者が廊下灯５の近くに居るという判定結果を廊下灯用制御部７に出力する。廊下灯用制御部７は、表示灯１０を暗めに発光させる。換言すると、廊下灯用制御部７は、医療従事者が廊下灯５から離れている場合に比べて表示灯１０の照度を低くする。
【００２７】
以上詳しく説明したように、本実施形態によれば、ナースコール子機１の呼び出し操作部３の操作によって呼び出し操作が行われた場合に、ＩＣタグリーダー８がＩＣタグ１１の接近を検知したときには、医療従事者近接判定部９は、医療従事者が廊下灯５に接近していると判断する。そして、廊下灯用制御部７は、表示灯１０を暗めに発光させるので、近くに居る医療従事者や患者は眩しさを感じない。また、表示灯１１の発光が暗くても廊下灯５までの距離が近いので、医療従事者は呼び出しを容易に認識することができる。
【００２８】
また、ナースコール子機１の呼び出し操作部３の操作によって呼び出し操作が行われた場合に、ＩＣタグリーダー８がＩＣタグ１１の接近を検知しないときには、医療従事者近接判定部９は、医療従事者が廊下灯５から離れていると判断する。そして、廊下灯用制御部７は、表示灯１０を明るく発光させるので、近くに居る患者は眩しさを感じるものの、廊下灯５までの距離が遠くても医療従事者は呼び出しを確実に認識することができる。従って、表示灯１０を適切な明るさとすることができる。
【００２９】
なお、前述した実施形態では、廊下灯用制御部７は、医療従事者が接近しているか否かに基づいて表示灯１０の照度を調整しているが、これに限定されない。例えば、表示灯１０の表面にシャッター状の遮光手段を設け、医療従事者が廊下灯５の近くに居る場合には、表示灯１０からの光を遮光するようにしても良い。
【００３０】
また、前述した実施形態では、廊下灯用制御部７は、医療従事者が接近しているか否かに基づいて表示灯１０の照度を調整しているが、これに限定されない。例えば、表示灯１０の発光部を上方または下方に可動させる可動手段を設け、医療従事者が廊下灯５の近くに居る場合に、発光部の光が上方または下方に向くように可動手段を制御しても良い。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３２】
【図１】本実施形態によるナースコールシステムの構成例を示すブロック図である。
【図２】本実施形態によるナースコールシステムに適用される廊下灯およびＩＣタグの動作例を示す図である。
【符号の説明】
【００３３】
１    ナースコール子機
２    子機用制御部
３    呼び出し操作部
４    子機用インターフェース
５    廊下灯
６    廊下灯用インターフェース
７    廊下灯用制御部
８    ＩＣタグリーダー
９    医療従事者近接判定部
１０    表示灯
１１    ＩＣタグ
【図１】
2008206922.tif 000003
【図２】
2008206922.tif 000004